(57)【要約】【課題】ボウル部の前方側から排水トラップ部の入口へ流れる洗浄水の勢いを強めることができ、便器洗浄に使用する洗浄水量を少なく設定した場合においても、汚物排出性能を向上させることができる水洗大便器を提供する。【解決手段】本発明の水洗大便器１は、汚物受け面２２と、リム部２４と、棚部３０と、を備えたボウル部１４と、このボウル部の下方に形成された溜水部１６と、この溜水部の下端に接続された排水トラップ管路１８と、を有し、ボウル部のリム部は、その上面から下方へ汚物受け面近傍まで延びて内側に通水路を形成するリム垂下壁部２８を備え、ボウル部の棚部は、後方側棚部３２と、側方側棚部３４と、を備え、後方側棚部は、その中央部４０から左右両側方向に向って上方へ隆起するように形成された隆起部４２を備え、この隆起部は、貯水タンク６から後方側棚部の中央部に供給された洗浄水を一時的に滞留させる滞留室４６を形成する。【選択図】図１
2013238048.tif 000002
【特許請求の範囲】
【請求項１】
洗浄水源から供給された洗浄水により便器本体を洗浄して汚物を排出する水洗大便器であって、
汚物を受ける汚物受け面と、この汚物受け面に洗浄水を吐水するリム部と、上記汚物受け面と上記リム部との間に形成される棚部と、を備えたボウル部と、
このボウル部の下方に形成された溜水部と、
この溜水部の下端に接続された入口から後方へ延びるように形成されて汚物を排出する排水トラップ部と、を有し、
上記ボウル部のリム部は、その上面から下方へ上記汚物受け面近傍まで延びて内側に通水路を形成するリム垂下壁部を備え、上記ボウル部の棚部は、上記ボウル部の後方側に形成された後方側棚部と、この後方側棚部の側方に形成された側方側棚部と、を備え、上記後方側棚部は、その中央部から左右両側方向に向って上方へ隆起するように形成された隆起部を備え、上記リム垂下壁部と上記後方側棚部の隆起部は、上記洗浄水源から上記後方側棚部の中央部に供給された洗浄水を一時的に滞留させる滞留室を形成し、上記リム垂下壁部と上記側方側棚部は、上記滞留室内を上昇して上記隆起部を乗り越えた洗浄水が上記側方側棚部を通過して上記ボウル部の前方側へ流れる流路を形成することを特徴とする水洗大便器。
【請求項２】
上記ボウル部の棚部は、上記後方側棚部の隆起部を乗り越えた洗浄水を上記後方側棚部の隆起部の下流側から上記側方側棚部を経て上記ボウル部の前方側へ旋回させる流路面を形成し、この流路面は、洗浄水を後方側から前方側へ旋回させる流路に沿って下方に傾斜している請求項１記載の水洗大便器。
【請求項３】
上記ボウル部のリム部のリム垂下壁部は、上記後方側棚部の隆起部と共に上記滞留室を形成する後方側リム垂下壁部を備え、この後方側リム垂下壁部は、上記後方側棚部の前端から前方側に所定間隔を置いて配置され、上記所定間隔は、１０ｍｍ〜３０ｍｍに設定されている請求項１又は２に記載の水洗大便器。
【請求項４】
上記ボウル部の汚物受け面は、その前方側領域に棚状に形成される前方側汚物受け面を備え、この前方側汚物受け面は、上記ボウル部の前方側から上記前方側汚物受け面に吐水された洗浄水の一部が、上記溜水部内の溜水面の前方側領域を飛び越えてその後方側の所定領域に着水するように、上記前方側汚物受け面の後端部分と上記溜水部の前方側壁面の上端部分とを接続するように形成された段部を備えている請求項１乃至３の何れか１項に記載の水洗大便器。
【発明の詳細な説明】
【技術分野】
【０００１】
本発明は、水洗大便器に係り、特に、洗浄水源から供給された洗浄水により便器本体を洗浄して汚物を排出する水洗大便器に関する。
【背景技術】
【０００２】
従来から、洗浄水源から供給された洗浄水により便器本体を洗浄して汚物を排出する水洗大便器として、例えば、特許文献１に記載されているように、便器本体のリムの通水路がオープンになっているオープンリム構造を備えたものが知られている。このようなオープンリム構造は、種々の便器本体のリム構造の中でも最も簡単な構造であるため、成形が簡単であり、コストを抑えることができるといったメリットがある。
また、上述した従来のオープンリム構造を備えた水洗大便器では、洗浄水源から供給された洗浄水が、通水路を経て、オープンリムの垂下壁とボウル部との間からボウル部へと流下しつつ、ボウル部の後方側から前方側へ旋回するようになっている。
【先行技術文献】
【特許文献】
【０００３】
【特許文献１】特開平１１−１９５４号公報
【発明の概要】
【発明が解決しようとする課題】
【０００４】
しかしながら、上述した従来のオープンリム構造を備えた水洗大便器においては、近年の節水化に伴って、洗浄水がボウル部の前方側へと十分に旋回することができず、その結果、ボウル部の前方側から排水トラップ部の入口へと流れ込む洗浄水の流れが弱くなるため、洗浄不良になるという問題がある。
【０００５】
そこで、本発明は、上述した従来技術の問題を解決するためになされたものであり、ボウル部の前方側から排水トラップ部の入口へ流れる洗浄水の勢いを強めることができ、便器洗浄に使用する洗浄水量を少なく設定した場合においても、汚物排出性能を向上させることができる水洗大便器を提供することを目的としている。
【課題を解決するための手段】
【０００６】
上述した目的を達成するために、本発明は、洗浄水源から供給された洗浄水により便器本体を洗浄して汚物を排出する水洗大便器であって、汚物を受ける汚物受け面と、この汚物受け面に洗浄水を吐水するリム部と、上記汚物受け面と上記リム部との間に形成される棚部と、を備えたボウル部と、このボウル部の下方に形成された溜水部と、この溜水部の下端に接続された入口から後方へ延びるように形成されて汚物を排出する排水トラップ部と、を有し、上記ボウル部のリム部は、その上面から下方へ上記汚物受け面近傍まで延びて内側に通水路を形成するリム垂下壁部を備え、上記ボウル部の棚部は、上記ボウル部の後方側に形成された後方側棚部と、この後方側棚部の側方に形成された側方側棚部と、を備え、上記後方側棚部は、その中央部から左右両側方向に向って上方へ隆起するように形成された隆起部を備え、上記リム垂下壁部と上記後方側棚部の隆起部は、上記洗浄水源から上記後方側棚部の中央部に供給された洗浄水を一時的に滞留させる滞留室を形成し、上記リム垂下壁部と上記側方側棚部は、上記滞留室内を上昇して上記隆起部を乗り越えた洗浄水が上記側方側棚部を通過して上記ボウル部の前方側へ流れる流路を形成することを特徴としている。
このように構成された本発明においては、洗浄水源から後方側棚部の中央部に供給された洗浄水は、リム垂下壁部と後方側棚部の隆起部により形成された滞留室内に一時的に滞留された後、隆起部を乗り越えて側方側棚部を通過してボウル部の前方側へ流れるため、ボウル部の前方側から排水トラップ部の入口へ流れる洗浄水の勢いを強めることができる。したがって、便器洗浄に使用する洗浄水量を少なく設定した場合においても、汚物排出性能を向上させることができる。
【０００７】
本発明において、好ましくは、上記ボウル部の棚部は、上記後方側棚部の隆起部を乗り越えた洗浄水を上記後方側棚部の隆起部の下流側から上記側方側棚部を経て上記ボウル部の前方側へ旋回させる流路面を形成し、この流路面は、洗浄水を後方側から前方側へ旋回させる流路に沿って下方に傾斜している。
このように構成された本発明においては、ボウル部の棚部が、後方側棚部の隆起部を乗り越えた洗浄水を後方側棚部の隆起部の下流側から側方側棚部を経てボウル部の前方側へ旋回させる流路面を形成し、この流路面は、洗浄水を後方側から前方側へ旋回させる流路に沿って下方に傾斜していることにより、後方側棚部の隆起部を乗り越えた洗浄水は、より勢いを増した状態でボウル部の前方側へ流れることができるため、ボウル部の前方側から排水トラップ部の入口へ流れる洗浄水の勢いを強めることができる。したがって、便器洗浄に使用する洗浄水量を少なく設定した場合においても、汚物排出性能を向上させることができる。
【０００８】
本発明において、好ましくは、上記ボウル部のリム部のリム垂下壁部は、上記後方側棚部の隆起部と共に上記滞留室を形成する後方側リム垂下壁部を備え、この後方側リム垂下壁部は、上記後方側棚部の前端から前方側に所定間隔を置いて配置され、上記所定間隔は、１０ｍｍ〜３０ｍｍに設定されている。
このように構成された本発明においては、後方側リム垂下壁部と後方側棚部の前端との間の所定間隔が１０ｍｍ〜３０ｍｍに設定されていることにより、後方側リム垂下壁部と後方側棚部の隆起部とが形成する滞留室に洗浄水を一時的に確実に滞留させることができるため、後方側棚部の隆起部を乗り越えて側方側棚部を経てボウル部の前方側へ旋回させる洗浄水量を増やすことができ、ボウル部の前方側から排水トラップ部の入口へ流れる洗浄水の勢いを強めることができる。したがって、便器洗浄に使用する洗浄水量を少なく設定した場合においても、汚物排出性能を向上させることができる。
【０００９】
本発明において、好ましくは、上記ボウル部の汚物受け面は、その前方側領域に棚状に形成される前方側汚物受け面を備え、この前方側汚物受け面は、上記ボウル部の前方側から上記前方側汚物受け面に吐水された洗浄水の一部が、上記溜水部内の溜水面の前方側領域を飛び越えてその後方側の所定領域に着水するように、上記前方側汚物受け面の後端部分と上記溜水部の前方側壁面の上端部分とを接続するように形成された段部を備えている。
このように構成された本発明においては、前方側汚物受け面の後端部分と溜水部の前方側壁面の上端部分とを接続するように形成された前方側汚物受け面の段部により、ボウル部の前方側から前方側汚物受け面に吐水された洗浄水の一部が溜水部内の溜水面の前方側領域を飛び越えてその後方側の所定領域に着水することができるため、ボウル部の前方側から排水トラップ部の入口へ流れる洗浄水の勢いをさらに強めることができる。したがって、便器洗浄に使用する洗浄水量を少なく設定した場合においても、汚物排出性能を向上させることができる。
【発明の効果】
【００１０】
本発明の水洗大便器によれば、ボウル部の前方側から排水トラップ部の入口へ流れる洗浄水の勢いを強めることができ、便器洗浄に使用する洗浄水量を少なく設定した場合においても、汚物排出性能を向上させることができる。
【図面の簡単な説明】
【００１１】
【図１】本発明の一実施形態による水洗大便器を示す側面断面図である。
【図２】本発明の一実施形態による水洗大便器の便器本体の平面図である。
【図３】図２のＩＩＩ−ＩＩＩ線に沿って見た断面図である。
【図４】図１に示す水洗大便器の便器本体部分を拡大した側面断面図である。
【発明を実施するための形態】
【００１２】
以下、添付図面を参照して本発明の一実施形態による水洗大便器について説明する。
図１は本発明の一実施形態による水洗大便器を示す側面断面図であり、図２は本発明の一実施形態による水洗大便器の便器本体の平面図である。なお、図２においては、洗浄水の流れを矢印で示している。
図１及び図２に示すように、本発明の一実施形態による水洗大便器１は、ボウル部内の水の落差による流水作用で汚物を押し流す、いわゆる、洗い落し式の水洗大便器であり、背面側が後壁２に設置された陶器等からなる便器本体４を有する。また、便器本体４の上方且つ後壁２の裏側には、洗浄水源である貯水タンク６が設置されている。さらに、便器本体４の後方側の上方には、貯水タンク６に接続されて下方に延びる給水管８が接続されており、便器本体４の上方の後壁２の表側に配置された洗浄操作パネル１０の操作ボタン（図示せず）を操作することにより洗浄操作を開始すると、貯水タンク６の排水弁（図示せず）が開き、貯水タンク６から所定の洗浄水量（例えば、６リットル）が給水管８を経て便器本体４の後方側の導水路１２に供給されるようになっている。
なお、本実施形態の水洗大便器１においては、一例として、便器本体４の背面側が後壁２に設置された、いわゆる、壁掛け式の水洗大便器の形態について説明するが、このような形態に限られず、便器本体４の底部が床に設置された、いわゆる、床置き式の水洗大便器のような形態であってもよい。
【００１３】
また、便器本体４の前方上部には、ボウル部１４が形成され、便器本体４の後方上部には、貯水タンク６から供給された洗浄水をボウル部１４に吐水する導水路１２が形成されている。
さらに、ボウル部１４の下方には、溜水部１６が形成され、初期水位の溜水面がＷ０で示されている所定量の溜水が貯留されている。また、この溜水部１６の下端には、排水トラップ管路１８の入口１８ａが接続されており、排水トラップ管路１８は、その入口１８ａから後方へと延び、その後端が排水ソケット（図示せず）を介して、後壁２の裏側に設置された排出管２０に接続され、この排出管２０は後壁２の裏側に延びている。
【００１４】
ボウル部１４は、汚物受け面２２と、その上縁部に形成されて汚物受け面２２に洗浄水を吐水するリム部２４を備えている。このリム部２４は、その上面から下方へ汚物受け面２２近傍まで延びて内側にリム導水路２６を形成するリム垂下壁部２８を備えている。
また、リム部２４は、リム導水路２６内の洗浄水が外に飛び出さないようにリム垂下壁部２８がオーバーハングした形状を形成しており、リム部２４の周方向に沿って形成されたリム導水路２６の内側且つ下方が開放されている、いわゆる、オープンリムタイプの形態となっている。
【００１５】
また、ボウル部１４は、汚物受け面２２とリム部２４との間にボウル部１４のほぼ全周に亘って形成された棚部３０を備え、この棚部３０は、ボウル部１４の後方側に形成される後方側棚部３２と、この後方側棚部３２の左右両側に形成された側方側棚部３４を備えている。
【００１６】
つぎに、図３は、図２のＩＩＩ−ＩＩＩ線に沿って見た断面図であり、図４は、図１に示す水洗大便器の便器本体部分を拡大した側面断面図である。なお、図３及び図４においては、洗浄水の流れを矢印で示している。
図２〜図４に示すように、便器本体４の後方側の導水路１２の後壁３６には、給水管８の下流側端部が接続される吐水口３８が形成され、貯水タンク６から給水管８に流れた洗浄水は、吐水口３８から便器本体４の後方側の導水路１２に吐水されるようになっている。
また、後方側棚部３２は、導水路１２の路面１２ａを形成しており、吐水口３８の前方に形成される後方側棚部３２の中央部４０の前端４０ａを棚部３０の全周における最低位置Ｐ１とし、この中央部４０から左右両側方向に向って上方へ隆起するように張り出した凸状の曲面形状に形成された隆起部４２を備えている。
【００１７】
さらに、図４に示すように、リム部２４のリム垂下壁部２８は、後方側棚部３２の前端３２ａから前方側に所定間隔ｄを置いて配置された後方側リム垂下壁部４４を備え、この後方側リム垂下壁部４４と後方側棚部３２の隆起部４２は、吐水口３８から導水路１２に供給された洗浄水を一時的に滞留させる滞留室４６を形成している。
なお、後方側棚部３２の前端３２ａと後方側リム垂下壁部４４との間の所定間隔ｄについては、５ｍｍ〜３５ｍｍに設定されるのが好ましく、１０ｍｍ〜３０ｍｍに設定されるのが最も好ましい。
【００１８】
また、図３に示す隆起部４２においては、隆起部４２の後端側と前端側にそれぞれ形成される後端側隆起面４２ａと前端側隆起面４２ｂのそれぞれを互いに異なる鎖線で示しているが、隆起部４２は、後端側隆起面４２ａから前端側隆起面４２ｂにかけての領域で前方へ窄まる形状に形成されている。したがって、吐水口３８から導水路１２に吐水され、その前方の隆起部４２の後端側隆起面４２ａへ進んだ洗浄水は、その後、前端側隆起面４２ｂを前方側へ流れることにより、滞留室４６の中央側に寄せられ、その洗浄水の大半が図４に示す後方側リム垂下壁部４４の壁面４４ａに衝突して滞留室４６内に跳ね返り（図４の矢印ｆ１参照）、この滞留室４６内に一時的に滞留するようになっている。
【００１９】
さらに、図４に示すように、リム部２４のリム垂下壁部２８は、後方側リム垂下壁部４４の左右両側に形成される側方側リム垂下壁部４８と、この側方側リム垂下壁部４８の前方側に形成される前方側垂下壁部５０を備え、棚部３０は、側方側棚部３４の前方側に形成された前方側棚部５２を備え、これらの側方側垂下壁部４８と側方側棚部３４、及び前方側垂下壁部５０と前方側棚部５２は、滞留室４６内を上昇して隆起部４２を乗り越えた洗浄水が側方側棚部３４から前方側棚部５２に沿ってボウル部１４の前方側へ流れる流路を形成している。
すなわち、滞留室４６内に一時的に滞留した洗浄水は、継続して吐水口３８から追加される洗浄水と共に水嵩を増して上昇し、隆起部４２の前端側隆起面４２ｂの最高位置Ｐ２（図３参照）を乗り越え、後方側棚部３２の左右両側に形成された側方側棚部３４から前方側棚部５２に沿って、ボウル部１４の前方側へ旋回して流れ、その後、ボウル部１４の前方側から排水トラップ管路１８の入口１８ａへ流れる洗浄水の勢いを強めることができるようになっている。
【００２０】
また、後方側棚部３２の隆起部４２を乗り越えた洗浄水を後方側棚部３２の隆起部４２の下流側から側方側棚部３４を経てボウル部１４の前方側棚部５２へと旋回させる流路面となる側方側棚部３４の棚面３４ａは、後方側から前方側へ向かって便器本体４の水平面５４に対して所定の傾斜角度αを成して下り傾斜しており、後方側棚部３２の隆起部４２を乗り越えた洗浄水は、さらに勢いを増した状態で側方側棚部３４の棚面３４ａに沿ってボウル部１４の前方側へ十分に流れることができるようになっている。
なお、側方側棚部３４の棚面３４ａが便器本体４の水平面５４に対して下り傾斜している所定の傾斜角度αについては、０．１度〜２度に設定されるのが好ましい。
【００２１】
つぎに、図４に示すように、ボウル部１４の汚物受け面２２は、その前方側領域に棚状に形成される前方側汚物受け面５６を備え、この前方側汚物受け面５６は、ボウル部１４の前方側（前方側棚部５２）から前方側汚物受け面５６に吐水された洗浄水の一部が、溜水部１６内の溜水面Ｗ０の前方側領域Ｒ１を飛び越えてその後方側の所定領域Ｒ２に着水するように、前方側汚物受け面５６の後端部分５６ａと溜水部１６の前方側壁面５８の上端部分５８ａとを接続するように形成された段部６０を備えている。このような段部６０によって、溜水部１６内の溜水面Ｗ０の前方側領域Ｒ１を飛び越えてその後方側の所定領域Ｒ２に着水することにより、ボウル部１４の前方側から排水トラップ管路１８の入口１８ａへ流れ込む洗浄水の勢いを強めることができるようになっている。
【００２２】
つぎに、図１〜図４により、本発明の一実施形態による水洗大便器の作用（動作）を説明する。
最初に、便器洗浄のための洗浄操作パネル１０の操作ボタン（図示せず）を操作すると、貯水タンク６に設けられた排水弁（図示せず）が開き、貯水タンク６から所定の洗浄水量（例えば、６リットル）が給水管８を経て便器本体４の後方側の吐水口３８から導水路１２に供給される。
つぎに、吐水口３８から導水路１２に吐水された洗浄水は、図３に示す後方側棚部３２の隆起部４２の後端側隆起面４２ａから前端側隆起面４２ｂにかけて窄まる形状に形成される滞留室４６に流れ込み、前方側へ流れることにより、滞留室４６の中央側に寄せられる。その後、滞留室４６内の洗浄水の大半が図４に示す後方側リム垂下壁部４４の壁面４４ａに衝突して滞留室４６内に跳ね返り（図４の矢印ｆ１参照）、この滞留室４６内に一時的に滞留する。
【００２３】
つぎに、滞留室４６内に一時的に滞留した洗浄水は、継続して吐水口３８から追加される洗浄水と共に水嵩を増して上昇し、隆起部４２の前端側隆起面４２ｂの最高位置Ｐ２（図３参照）を乗り越え、後方側棚部３２の左右両側に形成された側方側棚部３４から前方側棚部５２に沿って、ボウル部１４の前方側棚部５２へ旋回して流れる。
このとき、後方側棚部３２の隆起部４２を乗り越えてボウル部１４の側方側棚部３４に沿って後方側から前方側へ旋回して流れる洗浄水は、図４に示すように、後方側から前方側へ向かって便器本体４の水平面５４に対して所定の傾斜角度αを成して下り傾斜した棚面３４ａを流れることにより、さらに勢いを増した状態で前方側棚部５２に到達する。
【００２４】
その後、図４に示すように、ボウル部１４の前方側棚部５２の洗浄水は、ボウル部１４の前方側汚物受け面５６へ流れ込み、前方側汚物受け面５６に沿って後方且つ下方に流れることにより、さらに勢いを強めながら、段部６０を後方側に向って通過し、溜水部１６内の溜水面Ｗ０の前方側領域Ｒ１を飛び越えてその後方側の所定領域Ｒ２に着水する。そして、この着水した洗浄水は、勢いを強めた状態で溜水部１６内の汚物を下方の排水トラップ管路１８の入口１８ａに向けて押し込む。その後、汚物を引き連れた洗浄水が排水トラップ管路１８内を入口１８ａから後方側に流れ、排出管２０から便器本体４の外部へ排出される。
【００２５】
上述した本発明の一実施形態による水洗大便器１によれば、貯水タンク６から給水管８を経て吐水口３８から後方側棚部３２の中央部４０に供給された洗浄水は、後方側のリム垂下壁部４４と後方側棚部３２の隆起部４２により形成された滞留室４６内に一時的に滞留された後、隆起部４２を乗り越えてその両側の側方側棚部３４を通過してボウル部１４の前方側棚部５２へ流れるため、このボウル部１４の前方側棚部５２から排水トラップ管路１８の入口１８ａへ流れる洗浄水の勢いを強めることができる。したがって、便器洗浄に使用する洗浄水量を少なく設定した場合においても、汚物排出性能を向上させることができる。
【００２６】
また、本実施形態による水洗大便器１によれば、ボウル部１４の棚部３０が、後方側棚部３２の隆起部４２を乗り越えた洗浄水を後方側棚部３２の隆起部４２の下流側から側方側棚部３４を経てボウル部１４の前方側へ旋回させる流路面となる棚面３４ａを形成し、この棚面３４ａは、後方側から前方側へ向かって便器本体４の水平面５４に対して所定の傾斜角度αを成して下り傾斜していることにより、後方側棚部３２の隆起部４２を乗り越えた洗浄水は、より勢いを増した状態でボウル部１４の前方側棚部５２へ流れることができるため、ボウル部１４の前方側から排水トラップ管路１８の入口１８ａへ流れる洗浄水の勢いを強めることができる。したがって、便器洗浄に使用する洗浄水量を少なく設定した場合においても、汚物排出性能を向上させることができる。
【００２７】
さらに、本実施形態による水洗大便器１によれば、後方側リム垂下壁部４４と後方側棚部３２の前端３２ａとの間の所定間隔ｄが１０ｍｍ〜３０ｍｍに設定されているため、吐水口３８から導水路１２に吐水され、その前方の隆起部４２の後端側隆起面４２ａへ進んだ洗浄水が、その後、前端側隆起面４２ｂを前方側へ流れることにより、滞留室４６の中央側に寄せられ、その洗浄水の大半が図４に示す後方側リム垂下壁部４４の壁面４４ａに衝突して滞留室４６内に跳ね返り（図４の矢印ｆ１参照）、この滞留室４６内に一時的に滞留することができる。したがって、後方側棚部３２の隆起部４２を乗り越えて側方側棚部３４を経てボウル部１４の前方側棚部５２へ旋回させる洗浄水量を増やすことができ、ボウル部１４の前方側から排水トラップ管路１８の入口１８ａへ流れる洗浄水の勢いを強めることができるため、便器洗浄に使用する洗浄水量を少なく設定した場合においても、汚物排出性能を向上させることができる。
【００２８】
また、本実施形態による水洗大便器１によれば、前方側汚物受け面５６の後端部分５６ａと溜水部１６の前方側壁面５８の上端部分５８ａとを接続するように形成された前方側汚物受け面５６の段部６０により、ボウル部１４の前方側棚部５２から前方側汚物受け面５６に吐水された洗浄水の一部が溜水部１６内の溜水面Ｗ０の前方側領域Ｒ１を飛び越え、その後方側の所定領域Ｒ２に着水することができるため、ボウル部１４の前方側から排水トラップ管路１８の入口１８ａへ流れる洗浄水の勢いをさらに強めることができる。したがって、便器洗浄に使用する洗浄水量を少なく設定した場合においても、汚物排出性能を向上させることができる。
【符号の説明】
【００２９】
１    水洗大便器
２    後壁
４    便器本体
６    貯水タンク（洗浄水源）
８    給水管
１０    洗浄操作パネル
１２    導水路
１２ａ  導水路の路面
１４    ボウル部
１６    溜水部
１８    排水トラップ管路（排水トラップ部）
１８ａ  排水トラップ管路の入口
２０    排出管
２２    汚物受け面
２４    リム部
２６    リム導水路（通水路）
２８    リム垂下壁部
３０    棚部
３２    後方側棚部
３２ａ  後方側棚部の前端
３４    側方側棚部
３４ａ  側方側棚部の棚面（流路面）
３６    導水路の後壁
３８    吐水口
４０    後方側棚部の中央部
４０ａ  後方側棚部の中央部の前端
４２    隆起部
４４    後方側リム垂下壁部
４４ａ  後方側リム垂下壁部の壁面
４６    滞留室
４８    側方側リム垂下壁部
５０    前方側リム垂下壁部
５２    前方側棚部
５４    便器本体の水平面
５６    前方側汚物受け面
５６ａ  前方側汚物受け面の後端部分
５８    溜水部の前方側壁面
５８ａ  溜水部の前方側壁面の上端部分
６０    段部
【図１】
2013238048.tif 000003
【図２】
2013238048.tif 000004
【図３】
2013238048.tif 000005
【図４】
2013238048.tif 000006